(57)【要約】  本発明は、血液処理装置に関し、この血液処理装置は、血液処理装置のユーザによるデータの入力のための少なくとも１つのタッチスクリーンを有するとともに処方を記憶する少なくとも１つのメモリを有し、血液処理装置は、タッチスクリーン及びメモリに接続された少なくとも１つのプロセッサを有し、かかるプロセッサは、ユーザによってタッチスクリーン上に引かれた推移に基づいて処方を決定するよう設計され、プロセッサはまた、前もってメモリに記憶してある処方の値を用いないで、ユーザによって引かれた推移にのみ基づいて処方を決定するよう設計されている。【選択図】図２
2018532499.tif 000002
【特許請求の範囲】
【請求項１】
血液処理装置であって、前記血液処理装置は、前記血液処理装置のユーザによるデータの入力のための少なくとも１つのタッチスクリーンを有するとともに処方を記憶する少なくとも１つのメモリを有する、血液処理装置において、前記血液処理装置は、前記タッチスクリーンと前記メモリの両方に接続された少なくとも１つのプロセッサを有し、前記少なくとも１つのプロセッサは、前記ユーザによって前記タッチスクリーン上に描かれた推移に基づいて処方を決定するよう構成され、前記プロセッサは、前もって前記メモリに記憶してある処方の値を用いないで、前記ユーザによって描かれた前記推移にのみ基づいて前記処方を決定するよう構成されている、血液処理装置。
【請求項２】
前記推移は、１つまたは２つ以上の処理パラメータの時間的推移であり、好ましくは、前記処理パラメータは、透析液の量、好ましくは患者の体内に存在する腹膜透析液の量、１種類または２種類以上の濃度、限外濾過量または透析投与量ｋＴ／Ｖ、クリアランス、患者の体内の透析液の充填量および／または排液量および／または滞留時間である、請求項１記載の血液処理装置。
【請求項３】
前記プロセッサは、前記描かれた推移のベクトル化を実施するよう構成されている、請求項１または２記載の血液処理装置。
【請求項４】
前記プロセッサは、前記ユーザによって前記タッチスクリーン上で実行された前記推移の変更に基づいて前記処方に対する変更を決定するよう構成され、好ましくは、前記処方に対する前記変更は、前記処理の持続時間の変更、前記処理の個々のステップの時点の変更、前記処理の個々のステップの回数の変更、透析液の投与量の変更、排液量の変更または処理形式の変更に関連している、請求項１〜３のうちいずれか一に記載の血液処理装置。
【請求項５】
前記プロセッサは、処理サイクルを追加しまたは取り消すための出力、および／または前記ユーザによって前記タッチスクリーン上で実行された前記推移の一区分のタッチングに基づいて前記タッチスクリーン上の触れた区分の１つまたは２つ以上のパラメータ値の出力を生じさせるよう構成され、好ましくは、前記プロセッサは、該プロセッサが前記タッチスクリーン上の前記出力パラメータ値の変更を可能にするよう構成されている、請求項１〜４のうちいずれか一に記載の血液処理装置。
【請求項６】
前記プロセッサは、該プロセッサが前記処理の既に実行された部分の前記処方に対する変更を許容しないよう構成されている、請求項１〜５のうちいずれか一に記載の血液処理装置。
【請求項７】
血液処理装置で処方を作製する方法であって、前記血液処理装置は、前記血液処理装置のユーザによるデータの入力のための少なくとも１つのタッチスクリーンを有するとともに処方を記憶する少なくとも１つのメモリを有する、方法において、前記ユーザが前記処方の推移を前記タッチスクリーン上に描くことによって前記処方を作製し、前もって記憶してある処方の値を追加的に利用しないで前記処方を作製する、方法。
【請求項８】
前記推移は、１つまたは２つ以上の処理パラメータの時間的推移であり、好ましくは、前記処理パラメータは、投与された透析液の量、好ましくは患者の体内に存在する腹膜透析液の量、１種類または２種類以上の濃度、限外濾過量または透析投与量ｋＴ／Ｖ、クリアランス、患者の体内の透析液の充填量および／または排液量および／または滞留時間である、請求項７記載の方法。
【請求項９】
前記描かれた推移のベクトル化を実行する、請求項７または８記載の方法。
【請求項１０】
前記処方に対する変更を前記ユーザによって前記タッチスクリーン上で実行された前記推移の変更に基づいて決定し、好ましくは、前記処方に対する前記変更は、前記処理の持続時間の変更、前記処理の個々のステップの時点の変更、前記処理の個々のステップの回数の変更、透析液の投与量の変更、または処理形式の変更に関連している、請求項７〜９のうちいずれか一に記載の方法。
【請求項１１】
処理サイクルを追加しまたは取り消すための出力、および／または前記タッチスクリーン上の触れた区分の１つまたは２つ以上のパラメータ値の出力は、前記ユーザによって前記タッチスクリーン上で実行された前記推移の一区分のタッチングに基づいて行われ、好ましくは、前記出力パラメータ値に対する変更を前記ユーザによって前記タッチスクリーン上で実行できる、請求項７〜１０のうちいずれか一に記載の方法。
【請求項１２】
前記処理の前記既に実行された部分の前記処方に対する変更は、可能ではない、請求項７〜１１のうちいずれか一に記載の方法。
【発明の詳細な説明】
【技術分野】
【０００１】
本発明は、血液処理装置に関し、この血液処理装置は、血液処理装置のユーザによるデータの入力のための少なくとも１つのタッチスクリーンを有するとともに処方（prescription）を記憶するための少なくとも１つのメモリを有する。
【背景技術】
【０００２】
先行技術から、血液処理装置のユーザがタッチスクリーンを介して処方を作製し、次に、この処方に従って血液治療を実行することが知られている。かかる手法は、例えば、欧州特許出願公開第５９７８１７（Ａ２）号明細書および欧州特許第０６６８７９３（Ｂ１）号明細書から知られている。国際公開第２０１３／０９１８１４（Ａ２）号パンフレットは、血液処理装置を開示しており、この血液処理装置では、ユーザが選択領域に記憶してある図形記号を選択し、そして次にこれをいわゆる記憶領域中にドラグすることができるよう処方プロセスを準備する。処方の推移は、治療の基礎として用いられる記憶領域内に入っている記号に基づいて作製される。
【先行技術文献】
【特許文献】
【０００３】
【特許文献１】欧州特許出願公開第５９７８１７（Ａ２）号明細書
【特許文献２】欧州特許第０６６８７９３（Ｂ１）号明細書
【特許文献３】国際公開第２０１３／０９１８１４（Ａ２）号パンフレット
【発明の概要】
【発明が解決しようとする課題】
【０００４】
本発明の基礎となっている目的は、血液処理装置、特に体外血液回路を有する血液処理装置、および好ましくは腹膜透析機または血液透析機または更に血液透析機を一段と改良して処方の作製を単純化することにある。
【課題を解決するための手段】
【０００５】
この目的は、請求項１の特徴を有する血液処理装置によって達成される。この点において、血液処理装置は、タッチスクリーンとメモリの両方にデータリンクされた少なくとも１つのプロセッサを有し、かかる少なくとも１つのプロセッサは、ユーザによってタッチスクリーン上に描かれた推移を用いて処方を決定するよう構成され、プロセッサは、更に、描かれた推移を用いるだけでこの処方を決定するよう構成されている。処方の作製に当たっては、ユーザによって実行される処方に先立って記憶してある処方の任意のデータ、例えば処方モデルまたは透析液または溶液などに関連した濃度値の使用はなされない。ユーザによる処方の作製前に好ましくはメモリには、好ましくは、処方に関連するデータが存在しない。
【０００６】
かくして、本発明は、処方モデルなしでまたは更に処方に関連した他のデータ、例えば投与透析液などの濃度が前もって、すなわち処方のこの作製前に血液処理装置に記憶される必要なく、直接タッチスクリーン上に描くだけで処方または処方推移を作製する技術的思想に基づいている。
【０００７】
処方、例えば、患者の体内に存在する腹膜透析液の例えば量に関する時間的推移は、ユーザが例えばタッチスクリーン上に経時的にこの透析液の量を描くことによって単純に作製される。次に、この処方は、処理の基準として用いられる。
【０００８】
「処方」という用語は、本発明の枠組みの範囲内において、血液処理に関する少なくとも１つのパラメータの、少なくとも１つの他のパラメータ、好ましくは時間に対する依存内容として理解されるべきである。
【０００９】
前もってメモリ内に特定の処方モデルを記憶することは必要ではなく、しかも前もってメモリ内の処方に関する特定のデータを入力する必要もない。本発明によれば、ユーザによって描かれたタッチスクリーン上の推移を用いるだけで処方を決定するのに十分であり、処方のこの決定後に処方に対する変更が可能であることを排除するものではない。
【００１０】
それにより、これに対応した単純化が血液処理装置の既知の実施形態に関して結果的に得られ、というのは、前もって行われる例えば透析液の濃度のような値、処方モデルなどの入力なしで済ますことができ、完全な新処方をこのようにして作製することができる。
【００１１】
推移は、例えば、１つまたは２つ以上の処理パラメータの時間的推移であり、好ましくは、これら処理パラメータは、腹膜透析治療の一部として患者の体内に存在する透析液の量、１種類または２種類以上の濃度、例えばグルコース濃度またはカルシウム濃度、限外濾過量または更にクリアランスである。
【００１２】
処理パラメータは、例えば、充填量および／または排液量および／または滞留時間であっても良い。
【００１３】
このリストは、性質上例示であり、排他的ではない。時間的推移に代えて、別のパラメータに対する一パラメータの任意他の所望の依存性もまた想到でき、かかる依存性は、ユーザによってタッチスクリーン上に入力可能である。
【００１４】
この時点で指摘されるように、ユーザによってタッチスクリーン上に描かれた推移の特徴は、ユーザが自分の指を用いてこの推移を描く場合と、推移が描画ツール、例えばユーザによって保持されるタッチペンによって実施される場合との両方を含む。
【００１５】
本発明の別の実施形態では、プロセッサは、描かれた推移のベクトル化、すなわち推移の直線化を実施するよう構成されている。次に、直線区分を描かれた推移から形成し、これら直線区分を対応の結合箇所のところで互いにつなぎ、その結果、直線区分により形成される連続推移が結果として得られるようにする。
【００１６】
本発明の別の実施形態では、プロセッサは、ユーザによってタッチスクリーン上で実行された推移の１回または２回以上の変更に基づいて処方に対する変更を決定するよう構成されている。ユーザは、例えば、処理の長さ、個々の処理ステップの時点、これらの回数、透析液の投与量、処理の形式などをタッチスクリーンの対応のタッチング（触れること）によって変更することができる。プロセッサは、タッチスクリーンについて実行されたこの変更を処理してこれをメモリに記憶させる。
【００１７】
制御装置は、メモリにアクセスしてメモリに記憶してある処方に従って処理を実行する。
【００１８】
ユーザに行われた変更は、タッチスクリーン上に表示される。
【００１９】
プロセッサは、更に、ユーザによるタッチスクリーン上の推移の特定の区分のタッチングに基づいて触れた区分に関する１つまたは２つ以上のパラメータ値の出力を生じさせまたはユーザが特定の処理サイクルにおいて処理ステップを追加しまたは取り消すことができるようにする出力を生じさせるよう構成されているのが良い。
【００２０】
かくして、例えば、ユーザが投与された透析液の量を経時的に記録することが可能であり、そしてこれがどの透析液であるかまたはこの透析液の組成が何であるかがこの推移の一区分をタップすることによって表示される。
【００２１】
好ましくは、この点に関し、ユーザが例えば選択肢の中から異なる透析液または異なる透析液組成を選択することができるようにする選択メニューが出力されるので、ユーザがこれら表示されたパラメータ値を変更することができる。選択メニューの生成に代えて、当然のことながら、かかるメニューを生成せず、ユーザ自身が透析液に関する新たな値または異なるパラメータ値を入力フィールドに入力することが可能である。
【００２２】
また、ユーザが混合溶液を調製する基となる複数の溶液から選択を行うことができるよう選択メニューが設計されることが想定できる。かくして、互いに異なる組成を有するとともに／あるいは互いに異なる濃度を有する混合溶液を調製することができるようにすることが可能である。
【００２３】
プロセッサは、このプロセッサが処理の既に実施された部分の処方に対する変更を許容しないよう構成されるのが良い。
【００２４】
この場合、処方の変更、例えば、腹膜透析治療の依然として残っているサイクルなどのまだ完了していない処理のその部分について変更を実行することだけが可能である。処方の既に実行された部分は、例えば陰影を施すことによりまたはスクリーンバックグラウンドもしくは推移の色によって、処理のこれからやって来る部分とは異なる視覚的デザインを有することができる。
【００２５】
本発明は、更に、血液処理装置で処方を作製する方法であって、血液処理装置は、血液処理装置のユーザによるデータの入力のための少なくとも１つのタッチスクリーンを有するとともに処方を記憶する少なくとも１つのメモリを有する形式の方法に関する。本発明によれば、ユーザが処方の推移をタッチスクリーン上に描くことだけで処方を作製し、かくして、処方の値がユーザによって入力されることなくまたは描いた推移に加えて前もってメモリから呼び出されることなく処方を作製する。
【００２６】
上述したように、ユーザが対応の推移を描くことが処方の作製にとって十分である。追加の値を入力する必要はなく、しかも本発明の処方の作製に先立って処方モデルまたは処方の個々の値を記憶することは、必要ではない。
【００２７】
本方法は、好ましくは、推移は、１つまたは２つ以上の処理パラメータの時間的推移であり、好ましくは、これら処理パラメータは、腹膜透析治療の一部として患者の体内に存在する透析液の量、１種類または２種類以上の濃度、例えばグルコース濃度またはカルシウム濃度、限外濾過量または更にクリアランスである。
【００２８】
治療パラメータは、例えば、充填量および／または排液量および／または滞留時間であっても良い。
【００２９】
このリストは、性質上例示であり、排他的ではない。時間的推移に代えて、別のパラメータに対する一パラメータの任意他の所望の依存性もまた想到でき、かかる依存性は、ユーザによってタッチスクリーン上に入力可能である。
【００３０】
描かれた推移のベクトル化は、好ましくは、血液処理装置によって実施される。
【００３１】
ユーザによってタッチスクリーン上で実行された推移または処方を好ましくは次に変更することができる。この変更は、例えば、持続時間の変更、個々の処理ステップの時点の変更、これらの回数の変更、透析液の投与量の変更または更に処理形式の変更に関する場合がある。かくして、例えば、従来型腹膜透析から、ユーザが対応して１つまたは２つ以上の処方時点をシフトする潮汐（tidal）処理に切り換えることが可能である。
【００３２】
さらに上述したように、全処理推移または処方もしくはその個々の区分の特定のパラメータ値をユーザに出力することが可能である。ユーザは、例えば異なる透析液を選択することによりこれらパラメータ値を変更する可能性を有する。
【００３３】
さらに、処理の既に実施された部分の処方に対する変更は可能ではない。
【００３４】
さらに、ボタンまたはオプションとしてメニューからの別の選択領域がタッチスクリーン上に存在するのが良く、かかるボタンまたは別の選択領域をユーザによって作動させることができ、その作動により、血液処理装置に切り離し途切れ部が存在し、この切り離し途切れ部では患者が血液処理装置に結合されないことを血液処理装置に伝える。切り離し途切れ部に続き、患者は、再び、自分自身を血液処理装置につなげることができ、そして処理を続行することができる。
【００３５】
本発明の別の実施形態では、情報ボタンまたはオプションとしてメニューからの別の選択領域がタッチスクリーン上に存在し、かかる情報ボタンまたは別の選択領域をユーザによって作動させることができ、その作動情報が出力される。この情報は、例えば、薬物を摂取するためにユーザに対するプロンプトであるのが良く、この情報は、腹膜機能、フリーテキストまたは更にユーザへの１つまたは２つ以上の他の行為の命令に関する。このボタンまたはこの選択領域は、例えばドラグアンドドロップによってタッチスクリーン上の所望の位置に動かすことができるよう構成されているのが良い。
【００３６】
図面に示されている実施形態を参照して本発明の別の細部および別の利点について詳細に説明する。
【図面の簡単な説明】
【００３７】
【図１】ユーザによって入力されかつ腹膜透析治療の一部として患者に投与されたり患者から取り出されたりする透析液の量の時間的推移を示す図である。
【図２】ベクトル化後における図１と類似した図である。
【図２ａ】ユーザによって入力されかつ分離途切れ部付きの腹膜透析治療の一部として患者に投与されたり患者から取り出されたりする透析液の量の時間的推移を示す図である。
【図３】潮汐サイクル（tidal cycle）を有する処理形式への変更後における図２に類似した図である。
【図４】処方の強調区分を有する図２に類似したおよび投与溶液の表示を示す図である。
【図５】ユーザによる透析液に対する変更後における図４に類似した図である。
【図６】個々の処理サイクルを追加する可能性または除く可能性を備えた図２に類似した図である。
【図７】既に実施された処理ステップの暗くされた区分を有する図２に類似した図である。
【発明を実施するための形態】
【００３８】
本実施形態は、腹膜透析機のタッチスクリーンの形態をした本発明のグラフィックエディタに関する。
【００３９】
しかしながら、本発明は、腹膜透析機には限定されず、任意所望の血液処理装置、好ましくは体外血液回路を有する血液処理装置、例えば血液透析装置、血液透析濾過装置および血液濾過装置にも関する。
【００４０】
図１は、血液処理装置のユーザによってタッチスクリーン上に手作業で描かれた処方推移を示しており、この場合、患者の体内に存在しまたは患者に投与されたり患者から取り出されたりする透析液の量が縦軸に示され、時間が横軸上に示されている。この描かれた処方推移は、プロセッサによって処方の状態に処理され、そしてメモリに記憶される。この記憶された推移またはこれに基づく推移は、次に、腹膜透析治療の基礎として用いられる。
【００４１】
時刻ｔ＝０の点に示された値、例えば量を出力することができ、そして所望の値、例えば１０００ｍＬを正確に設定するために点または線を触れることによって手動で微調整できる。
【００４２】
しかしながら、値の手動入力は、先行技術の場合のように前もって行われるわけではなく、ユーザによる推移の描画後に行われ、処理または処方の作製の実施は、特に、前もって記憶された処方モデルなしで、すなわち処方の手動作製前に行われる。
【００４３】
図２は、図１に記載されている推移のベクトル化を示しており、このベクトル化の結果として、個々の相、この場合流入相、滞留相および排液相の線形化が得られる。
【００４４】
かくして、ユーザは、図１のスクリーンビューを削除する可能性を有するとともに図２の推移が結果として生じるよう描画または線引きをベクトル化することができる。
【００４５】
この実施例では、９つの点が定められており、点１と点２との間の領域は、初期流出を表し、点２と点３との間の区分は、流入１を表し、点３と点４との間の区分は、滞留１を表し、点４と点５との間の区分は、流出１を表し、点５と点６との間の区分は、流入２を表し、点６と点７との間の区分は、滞留２を表し、点７と点８との間の区分は、流出２を表し、点８と点９との間の区分は、最後の流入を表している。
【００４６】
処方モデルは、一般に、更にサイクルを付け加えることによって更に拡張できる。
【００４７】
処理をこれらの点、これらの点をつなぐ線およびタッチジェスチャの助けによりユーザのリクエストの際に変更できる。例えば点１を指でまたはタッチペンなどで上にまたは下にドラグした場合、初期流出は、増加しまたは減少する。
【００４８】
点１および点２に触れるとともに点２を左側にまたは右側にドラグした場合、初期流出の持続時間は、増加しまたは減少する。
【００４９】
点１および点９に触れるとともに点９を左側にまたは右側にドラグした場合、全処理持続時間は、それに応じて増加しまたは減少する。処理全体は、そのようにする際、一様に水平に引き延ばされる。
【００５０】
点１および点９に触れた場合であって点１および点９を上にまたは下にドラグした場合、処理は、垂直に引き延ばされる。このことは、初期流出量およびさらに最後の流入量を含む全処理量が変化することを意味している。引き延ばし比は、点１から点２までの経路長に依存する。
【００５１】
ユーザが初期流出量を不変のままにしたいと思うとともに、最後の流入量を含む全処理量だけを変更したいと思った場合、ユーザは、点３および点９に触れてこの点３および点９を上にまたは下にドラグする。これは、処理の垂直引き延ばしの結果を有する。最後の流入量を含む全処理量だけが変化する。引き延ばし比は、点１から点２までの経路長に依存する。
【００５２】
ユーザが初期流出量および最後の流入量を不変のままにしたいと思うとともに流入量１，２に関する量だけを変更したいと思った場合、ユーザは、点３および点７に触れてこれら点３および点７を上にまたは下にドラグする。これは、同様に、処理の垂直引き延ばしの結果を有する。全処理量だけが変化する。引き延ばし比は、点１から点２までの経路長に依存する。
【００５３】
ユーザが例えば第１の流入量だけを変更したいと思った場合、ユーザは、点３に触れてこれを上にまたは下にドラグする。これは、流入量の対応の増加または減少の結果を有する。
【００５４】
したがって、同じことは、点６に触れてこれを上に動かしまたは下に動かすことによる第２の流入量の増加または減少に当てはまる。
【００５５】
また、滞留時間、すなわち点３と点４との間の区分または点６と点７との間の区分を変更することが可能である。この目的のため、ユーザは、例えば、点４および点７に触れて点７を左側または右側にドラグする。この結果、滞留時間１，２の一様な変化が得られる。
【００５６】
また１つの滞留時間だけを変更することが可能である。この目的のため、ユーザは、例えば、点４にのみ触れ、これを左側または右側にドラグし、これは、滞留時間１の対応の変更の結果を有する。同様に、同じことが滞留時間２の変更に当てはまる。この目的のため、ユーザは、点７にのみ触れ、これを左側または右側にドラグする。
【００５７】
変更の形式は、上述の実施例から例示として理解できるように、一般に、タッチスクリーン上に触れる点の数で決まると言える。
【００５８】
入力処方もまた、処理形式に関して変更することができる。
【００５９】
図２中のフィールド“Ｐ”は、ユーザによって作動可能な選択領域であり、その作動は、患者が血液処理装置に連結されていない分離相が存在することを血液処理装置に伝える。
【００６０】
図２ａは、かかる分離途切れ部を有する処方推移を示しており、この場合、途切れ部は、図示の実施形態では、点３と点４との間に位置し、これは、破線で表されている。患者は、この時間間隔では血液処理装置には連結されていない。かくして、血液処理装置の患者の連結は、点３までおよび点４以降に存在する。図２ａに示されている別の処理サイクルには、分かりやすくする理由で参照符号が付けられておらず、かかる別の処理サイクルは、処理の例示の推移を表している。
【００６１】
図２のフィールド“ｉ”は、ユーザによって作動可能な情報ボタンであり、この作動情報、例えば行為プロンプトが出力される。これは、例えば、薬物を摂取するユーザに関連するのが良い。この情報はまた、処理それ自体に関連付けられるのが良く、例えば、患者は、例えば腹膜機能を判定するため１つまたは２つ以上の透析物サンプルを腹部から取り出すよう促されるのが良い。この決定は、患者に投与されるべき処方に対する影響を有する場合がある。
【００６２】
図２は、標準腹膜透析治療を示しているが、図３は、潮汐サイクルを示している。これは、透析量が患者から完全には取り出されず、一部だけが取り出されるという点で達成される。この変更は、ユーザが治療点５を押し上げて図３の推移が結果として得られるようユーザによって行われる。これとは逆に、点５を図３に従って下にドラグすることによって指を時間軸上に動かすやいなや２つの標準サイクルへの切り換えを再び実施できる。
【００６３】
また、小出しした透析液の種類を変更することが想到できる。この目的のため、例えば、点２と点３との間の線に触れるのが良い。図４の記載によれば、溶液の種類（「溶液１」）、そのグルコース含有量（この場合、４．２５％）およびカルシウムイオン含有量（この場合、１．７５ｍｍｏｌ／Ｌ）が今やこのタッチングによって表示される。溶液に関するパラメータを変更すべき場合、例えば溶液に関する、グルコース濃度に関するまたは更にカルシウム濃度に関するボタンを選択するのが良い。この選択によって選択リストが表示される。
【００６４】
リストパラメータを選択して図５に示されているビューが例えば結果として得られるよう値を変更することができる。ユーザは、この場合、２．３％のグルコース含有量を有するとともに１．２５ｍｍｏｌ（ミリモル）／Ｌのカルシウムイオン含有量を有する溶液２を今や選択する。この選択後、推移の対応の区分、この場合、点２と点３との間の流入領域は、元の処方に対する色分けによって変更可能である。
【００６５】
また、本発明によれば、サイクルの回数を変更することが可能である。ユーザが例えば、図６に示されているような第１のサイクル、すなわち点２と点５との間の領域を除きたいと思った場合、ユーザは、点２および点５を選択し、すなわち、これらに触れる。
【００６６】
すると、選択フィールド「追加サイクル」および「除去サイクル」が現れる。ユーザがフィールド「追加サイクル」を押すと、サイクル１、すなわち点２と点３と点４と点５との間の領域がコピーされて処方が今や３つのサイクルを有するようになる。他方、「除去サイクル」ボタンを押すと、サイクル１、すなわち点２と点３と点４と点５との間の領域が除かれ、その結果、処方は、その結果として、１つしかサイクルを有さないようになる。
【００６７】
図７は、既に推移した処理部分がまだこれからやって来る区分よりも暗い背景を有するタッチスクリーンのスクリーンビューを示している。
【００６８】
図示の実施形態では、処理の変更は、点５以降からのみ可能である。点１と点２と点３と点４との間の処理は、既に完了しており、その結果、ユーザによる変更は、もはやこの場合可能ではない。かくして、タッチスクリーンに触れたとしてもこの領域には結果を生じさせない。ここに示されている請求項７記載の実施例では、かくして、最後のサイクルおよび最後の流入量だけを変更することができ、すなわち、一方において点５と点６と点７と点８との間の区分および他方において点８と点９との間の区分しか変更することができない。
【図１】
2018532499.tif 000003
【図２】
2018532499.tif 000004
【図２ａ】
2018532499.tif 000005
【図３】
2018532499.tif 000006
【図４】
2018532499.tif 000007
【図５】
2018532499.tif 000008
【図６】
2018532499.tif 000009
【図７】
2018532499.tif 000010
【国際調査報告】
2018532499.tif 000011
2018532499.tif 000012
2018532499.tif 000013
2018532499.tif 000014
2018532499.tif 000015
2018532499.tif 000016